(57)【要約】      （修正有）【課題】出席者の協力により演出効果を高め、のちに記念としても使用でき、かつ実用的であるボードを提供する。【解決手段】結婚式等に使用できる受付口などに置かれるウェルカムボードであって、表板１２ａを有する表示部と、表板に貼り付けるための缶バッジが備えられた貼り付け部２３を有し、表板と缶バッジのいずれかが磁性体でできており他方が磁性体のつく素材でできている。【選択図】図１
0003230786.tif 000002
【実用新案登録請求の範囲】
【請求項１】
表板を有する表示部と、前記表板に貼り付けるための缶バッジが備えられたボードであって、前記表板と前記缶バッジのいずれかが磁石でできており他方が磁石がつく素材でできていることを特徴とするボード。
【請求項２】
前記表板は文字の記載ができる請求項１に記載のボード。
【請求項３】
前記缶バッジは、ペンで自由にサインやメッセージを記載することができるとともに、前記表板に貼り付けすることができる形態とした請求項１または請求項２のいずれか１項に記載のボード。
【請求項４】
前記缶バッジにはデザイン画が印刷されていることを特徴とする請求項１から請求項３のいずれか１項に記載のボード。
【考案の詳細な説明】
【技術分野】
【０００１】  本考案はボードに関するものであり、一例として結婚式に使用できる、受付口などに置かれるウェルカムボードに関するものである。
【背景技術】
【０００２】  特許文献１に示すウェルカムボードは、手にインクをつけて指印することにあるが、指印は個人情報やインクで手が汚れてしまう問題があった。
また、前記ウェルカムボードはサインの記載をできるが、メッセージが記載できないため使用範囲が限定的である問題があった。
また、前記ウェルカムボードは、出席者の協力を得て結婚式場で完成し、結婚式で使用後は自宅では飾りとしかならず、実用的でない問題があった。
また、前記ウェルカムボードは、出席者に多くの指印を押してもらうが、ウェルカムボードへはただ指印が並ぶという単調なデザインになる問題点があった。
【先行技術文献】
【特許文献】
【０００３】
【特許文献１】実用新案登録第３１７８３１６号公報
【考案の概要】
【考案が解決しようとする課題】
【０００４】  本考案は、上記問題点を解決するためになされたものであり、個人情報を開示する必要なく、手が汚れることがない。
また、出席者の自由で缶バッジにサインが記載でき、かつメッセージを記載することが選択できる。
結婚式だけでのウェルカムボードとしての役割だけではなく、結婚式後も実用的な価値を持たせる。
缶バッジデザインの種類を増やすことにより、単調ではなく無限の見た目を作ることができるボード又はウェルカムボードを提供することにある。
【課題を解決するための手段】
【０００５】  上記課題を解決するために、本考案のボードは表板を有する表示部と、前記表板に貼り付けるための缶バッジが備えられたボードであって、前記表板と前記缶バッジのいずれかが磁石でできており他方が磁石がつく素材でできていることを特徴とする。
また、本考案のボードにあっては、前記表板は文字の記載ができるのが望ましい。
また、本考案のボードにあっては、缶バッジは、ペンで自由にサインやメッセージを記載することができるとともに、前記表板に貼り付けすることができるのが望ましい。
また、本考案のボードにあっては、缶バッジにはデザイン画が印刷されているのが望ましい。
【考案の効果】
【０００６】  本考案のボードは、表板を有する表示部と、前記表板に貼り付けるための缶バッジが備えられたボードであって、前記表板と前記缶バッジのいずれかが磁性体でできており他方が磁性体のつく素材でできていることを特徴とするから、結婚式でのウェルカムボードとして使用するだけでなく、様々な使用方法を可能にし、自宅に持ち帰ってからは記念の飾りとしても使用できる上、かつ、ボードにカレンダーやスケジュール表を貼り付けたり、メモを貼り付けることができ実用的に使用できるという効果がある。
又、請求項２のように、前記表板は文字の記載ができるようにしたものは、新郎新婦名・日付・曜日を記載することができ、出席者に気持ちを表すボードにすることができるという効果がある。
前記缶バッジは、ペンで自由にサインやメッセージを記載することができるとともに、前記表板に貼り付けすることができる形態としたものは、このボードを用いて４択のクイズを記載する使い方ができ、出席者は缶バッジに自身のサインを記入して、４択になっているクイズの答えと思うところへ缶バッジを貼り付け、パーティ中に答えを発表するなどして、クイズ形式のゲームとしても使用することができる効果がある。
また、このボードは自由に装飾を行うことができ、文字を書いたり、シールやマスキングテープを貼り付けが可能で、装花を用いて装飾したり、カッティングシートを貼り付けてロゴを作ったりすることもできる効果がある。
また、請求項３のように、本考案のボードに貼るバッジは、ペンで自由にサインやメッセージを記載することができるとともに、前記表板に貼り付けすることができる形態としたものは、マジックでメッセージを記入できることで、出席者からのメッセージを結婚式後も記念にできる効果がある。
また、請求項４のように、ボードに貼るバッジに、様々なデザイン画が印刷されているものは、数種類の缶バッジを貼りつけることによりボードが鮮やかになり、オリジナリティのあるボードになる効果がある。
【図面の簡単な説明】
【０００７】
【図１】本考案の一実施例のウェルカムボード正面図
【図２】同上のボードの側面図、および背面図
【図３】同上のボードをクイズとして使用している状態の正面図
【図４】同上のボードを自宅にて使用している状態の正面図
【考案を実施するための形態】
【０００８】この考案を実施するための一形態を、以下図面を用いて説明する。
図１はウェルカムボード１１の正面図であり、ウエルカムボード１１は、鉄製の板の表示部材１２と、この表示部材１２を保持する額部材１３を有している。表示部材１２を鉄製の板で形成した場合は、さび止めも考慮して表面を塗装するのが望ましい。表示部材１２は、鉄にクロムを１０．５％以上混ぜたフェライト系ステンレスやマルテンサイト系ステンレスでも磁石に付くので構わない。
【０００９】表示部材１２は、図１に示したように表面の上側部分に「Ｗｅｌｃｏｍｅ」等記載されたロゴ２１、新郎新婦名２２ａ、挙式日２２ｂを有している。
【００１０】表示部材１２の下部にマグネット付き缶バッジの貼り付けができるように貼り付け部をあけておく。この部分にゲストが新郎新婦宛にメッセージを記載した缶バッジを貼り付けることにより、オリジナルのウェルカムボードをとなる。缶バッジの数やデザインは自由に選ぶことができる。
【００１１】缶バッジの表面はカラーペンやマジックで容易に書き込める形態としている。また、濃い配色の缶バッチはペンで書いたときにペン色と缶バッジの色が同化してしまう。そのため、薄い配色の缶バッチを採用することにより、ペンで記載した際にメッセージが読みやすいようにデザインしている。
【００１２】なお、本体表示部は自由にカスタマイズすることが可能であるためカラーペンやチョークで文字を書いたり、シールやマスキングテープ、新郎新婦の写真等を貼り付けも可能。装花を用いて装飾したりカッティングシートを貼り付けてロゴを作ったりすることもでき、容易にオリジナリティあふれるウェルカムボードにすることができる。
【００１３】簡単に割れたり壊れたりする部材がなく、扱いやすく持ち運びが容易なため結婚式で使用した後２次会に持っていき、２次会のウェルカムボードとしても使用でき、結婚式に参加できなかったゲストからも（缶バッジを使用して）メッセージをもらうことができる
【００１４】図３のように、ウェルカムボードで使用しながら、設問をしてクイズ形式で使用することも可能。ゲストには缶バッジを使用して設問の答えと思うところに名前を書いて貼り付けます。披露宴中に答え合わせを行うなどしてもらう。
【００１５】設問はカラーペンやチョークなどで簡単に書くことができるので自由に設定することができる。
回答部２５および貼り付け部２３は、表現部２６のようにチョークで区切ったり、マスキングテープで区切ったりすることにより自由に区画できる。
【００１６】披露宴や２次会の後は、自宅に持ち帰り飾っておくことができる。また、図４のように、貼り付け部２３へマグネット付き缶バッジを使用して、結婚式の思い出の写真やカレンダー、メモ紙等（貼り付け物２７）を取り付けでき実用的に使用できる。そのほか、冷蔵庫や電子レンジなどにも貼り付けて使用することも可能。このように、一つのものをその時々に応じて多様に使用することができる。
【００１７】図２のように表示部材（裏面）１２ｂの額縁部材１３には吊り金具３２が取り付けられており、自宅の壁面にも取り付けすることが可能である。
【００１８】以上、この考案を実施するための一形態であって、その他の形態を採用することもできる。例として、表板と裏板は長方形でなくともよく、また、額縁を備えない形態でもよい。
【符号の説明】
【００１９】１１・・・ウェルカムボード
１２ａ・・・表示部材（表面）
１２ｂ・・・表示部材（裏面）
１３・・・額部材
２１・・・ウェルカムロゴ
２２ａ・・・新郎新婦名
２２ｂ・・・挙式日
２３・・・貼り付け部
２４・・・設問部
２５・・・回答部
２６・・・表現部
２７・・・貼り付け物
３１・・・おさえ部材
３２・・・吊り金具
【図１】
0003230786.tif 000003
【図２】
0003230786.tif 000004
【図３】
0003230786.tif 000005
【図４】
0003230786.tif 000006